(57)【要約】【課題】利得の調整ができるとともに、消費電力の小さなブースタ装置の提供。【解決手段】放送波の増幅に使用される複数の増幅回路１１が直列接続されたブースタ装置１において、切替手段１２と、増幅回路給電スイッチ１２ｆと、スルー経路１３と、を設け、切替手段１２は放送波を増幅回路１１又はスルー経路１３のどちらか一方に入力し、入力した方から放送波を出力するように切り替えるものであり、増幅回路給電スイッチ１２ｅは増幅回路１１毎に給電のＯＮ／ＯＦＦの切り替えができるものであることを特徴とするブースタ装置。【選択図】  図１
2004357128.tif 000002
【特許請求の範囲】
【請求項１】
放送波の増幅に使用される複数の増幅回路が直列接続されたブースタ装置において、切替手段と、スルー経路と、増幅回路給電スイッチと、を設け、切替手段は放送波を増幅回路又はスルー経路のどちらか一方に入力し、入力した方から放送波を出力するように切り替えるものであり、増幅回路給電スイッチは増幅回路毎に給電のＯＮ／ＯＦＦの切り替えができるものであることを特徴とするブースタ装置。
【請求項２】
複数の増幅回路は、回路構成、回路定数、利得が同一のものであることを特徴とする請求項１記載のブースタ装置。
【請求項３】
複数の増幅回路は、増幅回路毎に利得が違うものであることを特徴とする請求項１記載のブースタ装置。
【請求項４】
利得が高出力用の増幅回路と、利得が通常力用の増幅回路と、増幅回路切替スイッチを有し、増幅回路切替スイッチは直列接続の最終段の増幅回路を利得が高出力用の増幅回路又は利得が通常力用の増幅回路のどちらか一方に接続を切り替えるものであることを特徴とする請求項１載のブースタ装置。
【請求項５】
直列接続の最終段の増幅回路は、入力端子からの放送波の入力レベルが予め設定した閾値より高い場合、増幅回路切替スイッチは最終段の増幅回路の利得を高出力用に接続を切り替え、入力端子入力端子からの放送波の入力レベルが予め設定した閾値より低い場合は、増幅回路切替スイッチは利得を通常出力用に接続を切り替えるものであること特徴とする請求項４記載のブースタ装置。
【請求項６】
可変抵抗を有し、可変抵抗は増幅回路の利得調整を連続的におこなうとともに、増幅回路への給電の制限も連続的におこなうものであること特徴とする請求項１のブースタ装置。
【請求項７】
可変抵抗を有し、可変抵抗は、増幅回路の帰還路のインピーダンスを可変することで増幅回路の利得を調整するものであることを特徴とする請求項１又記載のブースタ装置。
【請求項８】
双方向ＣＡＴＶ用ブースタ下り信号を増幅するＣＡＴＶ下り増幅回路と、ケーブルテレビ局への出力信号である双方向ＣＡＴＶ用ブースタ上り信号をＣＡＴＶ上り増幅回路と、ブースタ給電スイッチと、を有し、ブースタ給電スイッチは放送波を増幅する全ての増幅回路の給電を１度にＯＮ／ＯＦＦの切り替えができるものであることを特徴とする請求項１記載のブースタ装置。
【請求項９】
ＣＳ／ＢＳ用アンテナのコンバータ電源供給用のスイッチを有し、ブースタ給電スイッチは、このスイッチと連動して放送波を増幅する全ての増幅回路の給電のＯＮ／ＯＦＦを切り替えができるものであることを特徴とする請求項８記載のブースタ装置。
【請求項１０】
ＣＳ／ＢＳ用アンテナのコンバータ電源の消費電流を検出する電流検出部を有し、電流検出部は、ＣＳ／ＢＳ用アンテナのコンバータが電流を検出した場合のブースタ給電スイッチは、放送波を増幅する増幅回路の給電をＯＮに切り替え、電流検出部は、ＣＳ／ＢＳ用アンテナのコンバータが電流を検出しない場合のブースタ給電スイッチは、放送波を増幅する増幅回路の給電をＯＦＦに切り替えるものであることを特徴とする請求項８記載のブースタ装置。
【請求項１１】
ＣＳ／ＢＳ用ブースタ入力レベルを検出するブースタ入力検出回路を有し、ブースタ入力検出回路がＣＳ／ＢＳ用ブースタ入力レベルを検出した場合のブースタ給電スイッチは、放送波を増幅する増幅回路の給電をＯＮに切り替え、ブースタ入力検出回路がＣＳ／ＢＳ用ブースタ入力レベルを検出しない場合のブースタ給電スイッチは、放送波を増幅する増幅回路の給電をＯＦＦに切り替えるものであることを特徴とする請求項８記載のブースタ装置。
【請求項１２】
ＣＡＴＶ上り増幅回路の入力レベルを検出する増幅回路入力レベル検出回路を有し、増幅回路入力レベル検出回路がＣＡＴＶ上り信号を検出した場合の切替手段は、ＣＡＴＶ上り増幅回路の給電をＯＮに切り替る動作をおこない、増幅回路入力レベル検出回路がＣＡＴＶ上り信号を検出しない場合の切替手段は、ＣＡＴＶ上り増幅回路の給電をＯＦＦに切り替る動作をおこなうものであることを特徴とする請求項８記載のブースタ装置。
【発明の詳細な説明】
【０００１】
【発明の属する技術分野】
本発明は、放送波をセットトップボックスまで伝送又はセットトップボックスから放送局に向けて信号を伝送する際に、主にケーブルによる伝送ロスや分配・分岐ロス等で起こるレベル低下を補償する放送波ブースタ装置に関するものである。
【０００２】
【従来の技術】
放送波をセットトップボックス（受信機器の総称）まで伝送する際に、その距離が長いと同軸ケーブルによる伝送損失が発生する。また、昨今ではアンテナ１つに対して受信機が複数個存在する場合がほとんどであり、その場合、分配器や分岐器を用いて信号を分割し伝送するために分配損や分岐損が発生する。通常は、これらの損失を補償するためにブースタ装置が用いられる。このブースタ装置は受信信号を増幅する増幅回路であり、その利得は様々であり、配線系や宅内への放送波入力信号レベルによって、増幅回路の利得を適切な範囲に調整する必要がある。また、ブースタ装置は、増幅回路の利得を初期調整後、電源を連続投入して使用するので、ブースタ装置は電力を消費し続けることになる。
従来のブースタ装置１０１としては、例えば、図１３に示すものがある。このものは、増幅回路１２１（１２１ａ、１２１ｂ、１２１ｃ、１２１ｄ）と、利得調整回路１２２と、入力端子と１３１と、出力端子１３２と、増幅回路１２１に電力を供給する電源端子１４１と、を備えている。このブースタ装置１０１の増幅回路１２１ａ、１２１ｂ、１２１ｃ、１２１ｄは、常に最大利得で稼動しており、利得を適切な範囲にするための調整は増幅回路１２１ａと１２１ｂの間に挿入された利得調整回路１２２が損失を加えることによって、ブースタ装置１０１の利得を小さくしていた。従って、必要な利得が低い場合でも、すべての増幅回路１２１ａ、１２１ｂ、１２１ｃ、１２１ｄが動作しているために消費電力は常に一定であった。
また、別のブースタ装置１０２としては、図１４に示すものがある。このものは、入力端子１３３と出力端子１３４と、増幅回路１２１ｅを有するＣＳ／ＢＳ用のブースタ１０３と、入力端子１３５と出力端子１３６と、増幅回路１２１ｆ、１２１ｇとを有するＣＳ／ＢＳ用のブースタ１０４と、ブースタ１０３とブースタ１０４に電力を供給する電源端子１４２を備えたＣＳ／ＢＳ・双方向ＣＡＴＶ用のブースタ装置１０２である。
ブースタ装置１０２では、ＣＳ／ＢＳ放送をＣＡＴＶからの再送信で受信しているような場合、ブースタ１０３の入力１３３は未接続であり、入力信号が無く、ブースタ１０３は使用していない。この場合は、ブースタ１０４は使用しているため、電力端子１４２から増幅回路１２１ｅ、１２１ｆ、１２１ｇに電力が供給されているので、増幅回路１２１ｅ、１２１ｆ、１２１ｇは動作しており、電力を消費している。
【０００３】
また、別のブースタ装置としては、特開平８−１６２９８９号公報に記載されているものがある。このものは、受信した放送電波を増幅し分配供給する受信共聴システムに用いるものであり、図１６に示すように、ブースタユニット本体Ａに、複数の機能ユニットＢ１、Ｂ２とを含んで構成される。ブースタユニット本体Ａは、入力部に相当する入力コネクタＡＣ１と、出力部に相当する出力コネクタＡＣ２と、複数のスイッチに相当するリレー接点ＡＳ１、ＡＳ２と、複数の分岐路ＡＶ１、ＡＶ２と、複数の分岐出力部に相当する雄コネクタＡＶＯ１、ＡＶＯ２と、複数の合流路ＡＷ１、ＡＷ２と、複数の合流入力部に相当する雌コネクタＡＷＩ１、ＡＷＩ２と、複数の収容部ＡＢ１、ＡＢ２と、対応スイッチ開放手段に相当するリレー制御部ＡＤと、直流電源部ＡＥと、直流電源出力用の雌コネクタＡＥ１と、ＡＥ２と、を備えている。
【０００４】
【特許文献１】
特開平８−１６２９８９号公報
【０００５】
【発明が解決しようとする課題】
図１３で説明した従来技術では、ブースタ装置の最大利得が必要ない場合でも、増幅回路は最大の利得で動作している。この場合は、増幅回路とは別の回路を使いブースタ装置の利得を下げて使用していた。また、図１４で説明した従来技術では未使用の増幅回路が在する場合でも、増幅回路には給電され、増幅回路は動作していた。すなわち、ブースタ装置は、使用したい利得の大きささ、増幅回路の使用の有無に関係無く、最大の利得で動作していた。
また、特許文献１に記載されて従来技術は、図１３、図１４で説明した従来技術と同様に、使用したい利得の大きささ、増幅回路の使用の有無に関係無く、最大の利得で動作して、さらに、すべて増幅回路が動作していているものである。
【０００６】
本発明は、かかる事由に鑑みてなしたものであり、その目的とするところは、利得の調整ができるとともに、消費電力の小さなブースタ装置を提供することにある。
【０００７】
【課題を解決するための手段】
上記問題点を解決するため、請求項１記載の発明にあっては、放送波の増幅に使用される複数の増幅回路が直列接続されたブースタ装置において、切替手段と、スルー経路と、増幅回路給電スイッチと、を設け、切替手段は放送波を増幅回路又はスルー経路のどちらか一方に入力し、入力した方から放送波を出力するように切り替えるものであり、増幅回路給電スイッチは増幅回路毎に給電のＯＮ／ＯＦＦの切り替えができるものである。
【０００８】
請求項２記載の発明にあっては、前記リモートコントロールシステムは、複数の増幅回路は、回路構成、回路定数、利得が同一のものである。
【０００９】
請求項３記載の発明にあっては、請求項１の構成において、複数の増幅回路は、増幅回路毎に利得が違うものである。
【００１０】
請求項４記載の発明にあっては、請求項１の構成において、利得が高出力用の増幅回路と、利得が通常力用の増幅回路と、増幅回路切替スイッチを有し、増幅回路切替スイッチは直列接続の最終段の増幅回路を利得が高出力用の増幅回路又は利得が通常力用の増幅回路のどちらか一方に接続を切り替えるものである。
【００１１】
請求項５記載の発明にあっては、請求項４の構成において、直列接続の最終段の増幅回路は、入力端子からの放送波の入力レベルが予め設定した閾値より高い場合、増幅回路切替スイッチは最終段の増幅回路の利得を高出力用に接続を切り替え、入力端子入力端子からの放送波の入力レベルが予め設定した閾値より低い場合は、増幅回路切替スイッチは利得を通常出力用に接続を切り替えるものである。
【００１２】
請求項６記載の発明にあっては、請求項１の構成において、可変抵抗を有し、可変抵抗は増幅回路の利得調整を連続的におこなうとともに、増幅回路への給電の制限も連続的におこなうものである。
【００１３】
請求項７記載の発明にあっては、請求項１の構成において、可変抵抗を有し、可変抵抗は、増幅回路の帰還路のインピーダンスを可変することで増幅回路の利得を調整するものである。
【００１４】
請求項８記載の発明にあっては、請求項１の構成において、双方向ＣＡＴＶ用ブースタ下り信号を増幅するＣＡＴＶ下り増幅回路と、ケーブルテレビ局への出力信号である双方向ＣＡＴＶ用ブースタ上り信号をＣＡＴＶ上り増幅回路と、ブースタ給電スイッチと、を有し、ブースタ給電スイッチは放送波を増幅する全ての増幅回路の給電を１度にＯＮ／ＯＦＦの切り替えができるものである。
【００１５】
請求項９記載の発明にあっては、請求項８の構成において、ＣＳ／ＢＳ用アンテナのコンバータ電源供給用のスイッチを有し、ブースタ給電スイッチは、このスイッチと連動して放送波を増幅する全ての増幅回路の給電のＯＮ／ＯＦＦを切り替えができるものである。
【００１６】
請求項１０記載の発明にあっては、請求項８の構成において、ＣＳ／ＢＳ用アンテナのコンバータ電源の消費電流を検出する電流検出部を有し、電流検出部は、ＣＳ／ＢＳ用アンテナのコンバータが電流を検出した場合のブースタ給電スイッチは、放送波を増幅する増幅回路の給電をＯＮに切り替え、電流検出部は、ＣＳ／ＢＳ用アンテナのコンバータが電流を検出しない場合のブースタ給電スイッチは、放送波を増幅する増幅回路の給電をＯＦＦに切り替えるものである。
【００１７】
請求項１１記載の発明にあっては、請求項１の構成において、ＣＳ／ＢＳ用アンテナのコンバータ電源の消費電流を検出する電流検出部を有し、電流検出部は、ＣＳ／ＢＳ用アンテナのコンバータが電流を検出した場合のブースタ給電スイッチは、放送波を増幅する増幅回路の給電をＯＮに切り替え、電流検出部は、ＣＳ／ＢＳ用アンテナのコンバータが電流を検出しない場合のブースタ給電スイッチは、放送波を増幅する増幅回路の給電をＯＦＦに切り替えるものである。
【００１８】
請求項１２記載の発明にあっては、請求項１の構成において、ＣＡＴＶ上り増幅回路の入力レベルを検出する増幅回路入力レベル検出回路を有し、増幅回路入力レベル検出回路がＣＡＴＶ上り信号を検出した場合の切替手段は、ＣＡＴＶ上り増幅回路の給電をＯＮに切り替る動作をおこない、増幅回路入力レベル検出回路がＣＡＴＶ上り信号を検出しない場合の切替手段は、ＣＡＴＶ上り増幅回路の給電をＯＦＦに切り替る動作をおこなうものである。
【００１９】
【発明の実施の形態】
（第１の実施形態）
第１の実施形態のブースタ装置１を、図１に基づいて説明する。このものは、高周波である放送波を入力する入力端子２と、後述する増幅回路１１が増幅した放送波を出力する出力端子３と、増幅回路１１に給電するための電源端子４と、信号を増幅する増幅回路１１と、切替手段１２と、放送波の伝達経路であるスルー経路１３と、増幅回路給電スイッチ１５と、を備えている。
【００２０】
増幅回路１１は、高周波の放送波を増幅する高周波用の増幅回路である。
【００２１】
切替手段１２は、放送波を増幅回路１１又はスルー経路１３のどちらか一方に入力し、入力した方から放送波を出力するように接続を切り替えるものである。
【００２２】
また、切替手段１２は、信号の伝達経路をスルー経路１３側に接続された場合は、増幅回路１１側の電力供給（以降、給電と呼称する）を停止するものである。
【００２３】
増幅回路給電スイッチ１５は、電源端子４と増幅回路１１の間に設けられ、増幅回路１１毎に給電のＯＮ／ＯＦＦができるものである。
【００２４】
ブースタ装置１は、放送波が入力端子２から入力され、増幅回路１１（ａ〜ｄ）によって増幅された後、出力端子３２から出力される場合、増幅回路１１（ａ〜ｄ）の利得の総和が所望の利得でない場合は調整する必要がある。なぜなら、従来技術で説明したように、放送波をセットトップボックスまで伝送する際に、その距離が長いと同軸ケーブルによる伝送損失が発生しする。また、昨今では、ほとんどの場合にアンテナ１つに対して受信機が複数個存在し、その場合、分配器や分岐器を用いて信号を分割し伝送するために分配損や分岐損が発生する。通常は、これらの損失を補償するために、入力端子２からの放送波の入力信号レベルによっては、増幅回路の利得を適切な範囲に調整する必要があるからである。
【００２５】
例えば、図１において、切替手段１２（ａ〜ｃ）は、増幅回路１１（ａ〜ｃ）に側に接続され、切替手段１２ｄは、スルー経路１３ｄ側に接続されている。すなわち、このブースタ装置１は、切替手段１２（ａ〜ｃ）が増幅回路１１（ａ〜ｃ）側に、また、切替手段１２ｄｇスルー経路１３ｄ側に接続を切り替えているので、放送波は、増幅回路１１（ａ〜ｃ）によって増幅した後、出力端子３から出力される。この場合は、増幅回路１１（ａ〜ｃ）は、スイッチ１５（ａ〜ｃ）がオン状態にあるので、電源端子４から給電されている。また、増幅回路１１ｄは、電源端子４からの給電が停止され、動作していない状態である。
【００２６】
従って、ブースタ装置１は、切替手段１２（ａ〜ｄ）が信号の伝達経路を増幅回路１１（ａ〜ｄ）側又はスルー経路１３（ａ〜ｄ）側のどちらか一方に接続を切り替ることにより、利得を変えることができる。
【００２７】
さらに、切替手段１２（ａ〜ｄ）がスルー経路１３（ａ〜ｄ）側に信号の伝達経路を形成した場合、増幅回路１１（ａ〜ｄ）は、増幅回路給電スイッチ１５により、電源端子からのの給電を停止することができるため、消費電力を小さくすることができる。
【００２８】
なお、全ての増幅回路１１（ａ〜ｄ）には、切替手段１２が設けられているが、どの増幅回路１１に切替手段１２を設けるかは、ブースタ装置１の利得に合わせ適宜決めればよい。
【００２９】
なお、増幅回路給電スイッチ１５は、切替手段１２が増幅回路１１側に接続を切り替えた場合に、増幅回路に給電をおこない、切替手段１２がスルー経路側に接続を切り替えた場合に、増幅回路の給電を停止するように、切替手段１２に連動して動作させてもよい。
【００３０】
（第２の実施形態）
第２の実施形態のブースタ装置１を図２に基づいて説明する。このものは、第１の実施形態で説明したものとは増幅回路１１（ａ〜ｄ）の回路構成、回路定数、利得、回路パターンを全て同一にしたものである。これ以外の構成要素は同じなので説明を省略する。
【００３１】
放送波を増幅する増幅回路を直列に接続した場合、増幅回路と増幅回路との間に別の増幅回路を接続するときは、インピーダンスの不整合による増幅回路の損失をなくすために整合回路が必要である。しかし、接続する増幅回路が同じインピーダンスなら整合回路の必要はない。
【００３２】
例えば、図２において、増幅回路１１ｂと１１ｃの間に、増幅回路１１ｅと、切替手段１２ｅと、スルー経路１３ｅと、を挿入したい場合、各増幅回路のインピーダンスが違う場合は、放送波を増幅する増幅回路において回路間を接続する際の不整合による信号のロスをなくすためには、増幅回路１１ｂと増幅回路１１ｅの間に入力側整合回路２１、また、増幅回路１１ｅと増幅回路１１ｃの間に出力側整合回路２２、が必要である。しかし、増幅回路（ａ〜ｅ）のインピーダンスが同じなら入力側整合回路２１と出力側整合回路２２を使わずに増幅回路１１ｅと、切替手段１２ｅと、スルー経路１３ｅとが挿入できる。
【００３３】
従って、直列接続する増幅回路１１の数は、整合回路を必要としないので簡単に追加することができる。
【００３４】
（第３の実施形態）
第３の実施形態のブースタ装置１を図３に基づいて説明する。このものは、第１の実施形態で説明したものとは増幅回路１１（ａ〜ｄ）の利得を変えたものである。これ以外の構成要素は同じなので説明を省略する。
【００３５】
増幅回路１１の利得を、例えば、増幅回路１１ａの利得：２０ｄＢ、増幅回路１１ｂの利得１５ｄＢ、増幅回路１１ｃの利得：１０ｄＢ、増幅回路１１ｄの利得：５ｄＢに設定すると、このブースタ装置１の利得は５０ｄＢとなり、切替手段１２（ａ〜ｄ）の接続の切り替えパターンにより、利得を５ｄＢ〜５０ｄＢまで、５ｄＢのステップ幅で設定することができる。また、増幅回路の利得を全て同じにした場合は、１０〜５０ｄＢまで、１２．５ｄＢのステップ幅で設定することができる。
【００３６】
従って、増幅回路毎の利得を違うように設定することにより、増幅回路１１の利得を全て同じにした場合に比べ、利得を細かく設定することができる。
【００３７】
（第４の実施形態）
第４の実施形態のブースタ装置１を、図４に基づいて説明する。このものは、第１の実施形態で説明したものとは増幅回路切替スイッチ１２ｆと、増幅回路１１ｅ、と、を加えたものであり、これら以外の構成要素は同じなので説明は省略する。なお、図４は、第１の実施形態で説明したブースタ装置１の最終段の増幅回路１１ｄに増幅回路切替スイッチ１２ｆと、回路利得が高出力用の増幅回路１１ｅと、を加えたものである。
【００３８】
このブースタ装置１は、図４で示すように、最終段の増幅回路が増幅回路切替スイッチ１２により、増幅回路１１ｄ又は増幅回路１１ｅのどちらか一方に接続を切り替えることができる。
【００３９】
ブースタ装置１の増幅回路１１ｄを通常出力用の増幅回路、そして、増幅回路１１ｅを高出力用の増幅回路とすると、入力端子２からの放送波は、増幅回路１１（ａ〜ｃ）（図１参照）により増幅した後、増幅回路切替スイッチ１２ｆにより、通常出力用の増幅回路１１ｄ又は高出力用の増幅回路１１ｅのどちらか一方の増幅回路で増幅され出力端子３より出力される。
【００４０】
従って、最終段の回路利得を増幅回路切替スイッチ１２ｆが通常出力用の増幅回路１１ｄ又は高出力用の増幅回路１１ｅのどちらか一方に接続を切り替えるので、ブースタ装置１の利得は、利得が大きいタイプと通常タイプの２種が類選択できる。
【００４１】
（第５の実施形態）
第５の実施形態のブースタ装置１を、図５に基づいて説明する。このものは、第４の実施形態で説明したものに、ブースタ入力レベル検出部３１と、検出レベル判定部３２と、を加えたものである。この以外の構成要素は同じなので説明は省略する。なお、図５は、第４の実施形態で示した図４にブースタ入力レベル検出部３１と、検出レベル判定部３２と、を加えたものである。
【００４２】
ブースタ入力レベル検出部３１は、入力端子２から入力された放送波のレベルを検出するものである。
【００４３】
検出レベル判定部３２は、ブースタ入力レベル検出部３１が検出した入力端子２からの放送波のレベル値が予め設定した閾値よりも大きいか、小さいかを判断するとともに、検出レベル判定部３２は、放送波のレベル値が予め設定した閾値よりも大きいければ、増幅回路切替スイッチ１２ｆは通常出力の増幅回路１１ｃに接続を切り替え、放送波のレベル値が予め設定した閾値よりも小されば、増幅回路切替スイッチ１２ｆは高出力用の増幅回路１１ｄに接続を切り替えるものである。
【００４４】
従って、入力端子２が入力した放送波をブースタ入力レベル検出部３１で検知して、検出レベル判定部３２で判定して、増幅回路切替スイッチ１２ｆで切り替えるので、放送波の大きさに応じて、最終段の増幅回路を通常出力の増幅回路１１ｃ又は高出力用の増幅回路１１ｄに自動的に切り替えることができる。
【００４５】
（第６の実施形態）
第６の実施形態のブースタ装置１を、図６に基づいて説明する。このブースタ装置１は、第３の実施形態で説明したものとは、電源端子４と増幅回路（ａ〜ｄ）との間に可変抵抗１４（ａ〜ｄ）を設けたものであり、これら以外の構成要素は同じなので説明は省略する。
【００４６】
可変抵抗１４（ａ〜ｄ）は、電源端子４と増幅回路１１（ａ〜ｄ）との間に設けられる。増幅回路（ａ〜ｄ）の利得を大きくする場合は、抵抗値を小さくし、利得を大きくする場合は、抵抗値を小さくすることにより、符号番号に対応した増幅回路の利得を変えることができる。
【００４７】
例えば、増幅回路１１ａの利得を大きくしたい場合は、可変抵抗１４ａの抵抗値を小さくすると増幅回路１１ａの利得を大きくすることができる。この場合の増幅回路１１ａは、可変抵抗１４ａにより、電源端子４からの電圧、電流が大きくなっているので、増幅回路１１ａの消費電力も大きくなっている。また、増幅回路１１ａの利得を小さくしたい場合は、可変抵抗１４ａの抵抗値を大きくすると増幅回路１１ａの利得を小さくすることができる。この場合の増幅回路１１ａは、可変抵抗１４ａにより、電源端子４からの電圧、電流が小さくなっているので、増幅回路１１ａの消費電力も小さくなっている。
【００４８】
従って、ブースタ装置１は、可変抵抗１４を可変することにより、利得を変えることができる。また、可変抵抗はスイッチの様に離散的でなく、連続的に抵抗値が変化するため、利得も連続的に調整が可能である。
【００４９】
さらに、ブースタ装置１の利得を小さくした場合は、ブースタ装置１の消費電力を小さくすることができる。
【００５０】
なお、増幅回路１１（ａ〜ｄ）全てに可変抵抗１４（利得可変機能）が必要ではなく、どの増幅回路１１に可変抵抗１４を設けるかはブースタ装置１の利得に合わせ適宜決めればよい。
【００５１】
（第７の実施形態）
第７の実施形態のブースタ装置１を、図７に基づいて説明する。このブースタ装置１は、第３の実施形態で説明したものとは、可変抵抗１４（ａ〜ｄ）を加えたものであり、これ以外の構成要素は同じなので説明は省略する。
【００５２】
可変抵抗１４（ａ〜ｄ）は、増幅回路１４の入力と出力との間に設けられる。この場合の可変抵抗１４は、帰還路のインピーダンスを形成し、インピーダンスの値を可変することにより、利得を可変することができる。この時、増幅回路１１の整合条件も可変することができるので、入力端子２、出力端子３に接続される機器による整合条件の変動を吸収することもできる。
【００５３】
例えば、増幅回路（ａ〜ｄ）の利得を大きくする場合は、可変抵抗１４の抵抗値を大きくし、利得を小さくする場合は、可変抵抗１４抵抗値を小さくすることにより、符号番号に対応した増幅回路の利得を変えることができる。
【００５４】
従って、ブースタ装置１は、可変抵抗１４により、利得を変えることができる。また、可変抵抗はスイッチの様に離散的でなく、連続的に抵抗値が変化するため、利得も連続的に調整が可能である。
【００５５】
さらに、ブースタ装置１の利得調整により、整合条件の調節も可能になる。
【００５６】
なお、増幅回路１１（ａ〜ｄ）全てに可変抵抗１４（利得可変機能）が必要ではなく、どの増幅回路１１に可変抵抗１４を設けるかはブースタ装置１の利得に合わせ適宜決めればよい。
【００５７】
（第８の実施形態）
第８の実施形態のブースタ装置１を、図８に基づいて説明する。このものは、第１の実施形態で説明したものに、電源端子４とブースタ給電スイッチ１６との間に新たなブースタ給電スイッチ１６を挿入し、双方向ＣＡＴＶ用のブースタ１ｂと、双方向ＣＡＴＶ用のブースタ１ｂの入力端子２ｂと、双方向ＣＡＴＶ用のブースタ１ｂの出力端子３ｂと、を加えたものであり、これ以外のもの構成要素は同じなので、説明は省略する。なお、図８では、第１の実施形態の増幅回路１１（ａ〜ｄ）、切替手段１２（ａ〜ｄ）、スルー経路１３（ａ〜ｄ）、増幅回路給電スイッチ１５（ａ〜ｄ）からなるブロックをブースタ１ａとしている。
【００５８】
このブースタ装置１は、ブースタ１ａと、双方向ＣＡＴＶ用のブースタ１ｂと入力端子２と、出力端子３と、電源端子４と、を備えている
ブースタ１ｂは、ＣＡＴＶ下り増幅回路１１ｆと、ＣＡＴＶ上り増幅回路１１ｇと、を備えている。双方向ＣＡＴＶ用のブースタ１ｂの場合、一旦地上波放送をＣＡＴＶ局で受信し、別の周波数で（場合によっては別の  変調方式で）ケーブル経由で再度送信し、それを視聴者が見ているような場合を再送信で受信するものである。
【００５９】
すなわち、このブースタ装置１は、放送波を増幅するブースタ１ａと、双方向ＣＡＴＶからの信号を増幅するブースタ１ｂが一体となったものであり、ブースタ１ａは、ブースタ給電スイッチ１６により、ＯＮ／ＯＦＦすることができる。
【００６０】
例えば、ＣＡＴＶから再送信されるＣＳ及びＢＳ放送を受信できる様なとき等は、ブースタ１ａが不要になる場合がある。その時、ブースタ給電スイッチ１６をＯＦＦにすることにより、ブースタ１ａへの電源供給を停止し、消費電力を削減することができる。
【００６１】
従って、ブースタ装置１は、ブースタ１ａに放送波が入力されていない場合は、ブースタ１ａへの電源供給を停止するので、消費電力を小さくすることができる。
【００６２】
（第９の実施形態）
第９の実施形態のブースタ装置１を、図９に基づいて説明する。このものは、第８の実施形態で説明したものとは、電源供給経路１７と、ＣＳ／ＢＳ放送波を受信するためのＣＳ／ＢＳ用アンテナコンバータ３３を設けたものであり、これ以外の構成要素は同じなので、説明は省略する。このブースタ装置１、ブースタ１ａと、ブースタ１ｂと、入力端子２、２ｂと、出力端子３、３ｂと、電源端子４と、電源供給経路１７と、を備えている。
【００６３】
電源供給経路１７は、ブースタ給電スイッチ１６のブースタ１ａ側と入力端子２の間にチョークコイル１７ａを介して接続されている。チョークコイル１７ａは、入力端子２からの放送波等入力信号がブースタ１ａの電源端子側に伝わらないようにするものである。
【００６４】
例えば、ＣＳ／ＢＳからの放送波を受信する場合は、ＣＳ／ＢＳ用アンテナコンバータ３３に電源を供給する必要がある。この場合は、ＣＳ／ＢＳ用アンテナコンバータ３３は入力端子２に接続されている。すなわち、ブースタ給電スイッチ１６がＯＮすることにより、電源供給経路１７を介してＣＳ／ＢＳ用アンテナコンバータ３３に電源を供給することができる。
【００６５】
従って、このブースタ給電スイッチ１６の動作と連動して、ＣＳ／ＢＳ用アンテナコンバータ３３へ電源を供給しない時はＣＳ／ＢＳ用ブースタ装置１への電源供給も停止ことができ、２つの切り替え機能を１個のスイッチでおこなうことができる。
【００６６】
（第１０の実施形態）
第１０の実施形態のブースタ装置１を、図１０に基づいて説明する。このものは、第９の実施形態で説明したものに、電源供給経路１７と、ＣＳ／ＢＳ放送波を受信するためのＣＳ／ＢＳ用アンテナコンバータ３３と、ＣＳ／ＢＳ用アンテナコンバータ電流検出部３４と、検出レベル判定部３５と、を加えたものであり、これら以外の構成要素は同じなので説明は省略する。
【００６７】
電源供給経路１７は、ブースタ給電スイッチ１６のブースタ１ａ側と入力端子２の間にチョークコイル１７ａを介して接続されている。チョークコイル１７ａは、入力端子２からの放送波等入力信号がブースタ１ａの電源端子側に伝わらないようにするものである。
【００６８】
ＣＳ／ＢＳ用アンテナコンバータ３３は、入力端子２に接続されており、ＣＳ／ＢＳ用アンテナコンバータ３３の消費電流を検出回路３４で検出し、判定回路３５で判定し、判定回路３５がブースタ給電スイッチ１６のＯＮ／ＯＦＦの制御をおこなうことにより、ブースタ１ａへの給電をＯＮ／ＯＦＦする。
【００６９】
従って、ＣＳ／ＢＳ用アンテナコンバータ３３の消費電流を検出回路３４で検出し、電流を検出し、判定回路３５で判定し、判定回路３５がブースタ給電スイッチ１６のＯＮ／ＯＦＦの制御をおこなうことにより、自動的にブースタ１ａへの給電をＯＮ・ＯＦＦすることができる。すなわち、ＣＳ／ＢＳ用アンテナコンバータ３３アンテナ使用時は確実にブースタ１ａが給電をＯＮし、また、ＣＳ／ＢＳ用アンテナコンバータ３３が未使用時は給電をＯＦＦすることができる。
【００７０】
（第１１の実施形態）
第１１の実施形態のブースタ装置１を、図１１に基づいて説明する。このものは、第８の実施形態で説明したものに、電源供給経路１７と、ブースタ入力検出回路３６と、判定回路３７と、を加えたものであり、これら以外の構成要素は同じなので説明は省略する。
【００７１】
電源供給経路１７は、ブースタ給電スイッチ１６のブースタ１ａ側と入力端子２の間にチョークコイル１７ａを介して接続されている。チョークコイル１７ａは、入力端子２からの放送波等入力信号がブースタ１ａの電源端子側に伝わらないようにするものである。
【００７２】
入力端子２からのＣＳ／ＢＳ用ブースタ入力レベルを検出回路ブースタ入力検出回路３６で検出し、その有無を判定回路３７で判定する。すなわち、入力信号がある場合は、判定回路３７がブースタ給電スイッチ１６をＯＮさせるように切り替える。そして、入力信号がある場合は無い場合は、判定回路３７がブースタ給電スイッチ１６をＯＦＦさせるように切り替ることにより、ＣＳ／ＢＳ用ブースタ１ａへの給電のＯＮ／ＯＦＦを制御する。
【００７３】
従って、ブースタ装置１は、入力端子２に信号の有無により、ブースタ１ａの給電をＯＮ／ＯＦＦさせることができる。
【００７４】
（第１２の実施形態）
第１２の実施形態のブースタ装置１を、図１２に基づいて説明する。このものは、第８の実施形態で説明したものとは、ブースタ給電スイッチ１６と、双方向ＣＡＴＶ用ブースタ上り増幅回路の入力レベルを検出する増幅回路入力レベル検出回路３８と、検出レベル判定部３９と、を備えたものであり、これら以外の構成要素は同じなので説明は省略する。
【００７５】
このブースタ装置１は、双方向ＣＡＴＶブースタ１ｂのＣＡＴＶ上り増幅回路１１ｇへの入力信号の有無を増幅回路入力レベル検出回路３８で検出し、判定回路３９で判定し、判定回路３９がブースタ給電スイッチ１６のＯＮ／ＯＦＦの制御をおこなうことにより、自動で増幅回路１１ｇへの給電をＯＮ／ＯＦＦする。
【００７６】
従って、ブースタ装置１は、入力端子２に信号の有無により、増幅回路１１ｇの給電をＯＮ／ＯＦＦさせることができる。
【００７７】
【発明の効果】
請求項１記載の発明にあっては、ブースタ装置は、切替手段が増幅回路側又はスルー経路側のどちらか一方に接続を切り替ることにより、利得を変えることができる。
【００７８】
さらに、ブースタ装置は、切替手段がスルー経路側に放送波の伝達経路を形成した場合、増幅回路は、スイッチにより、電源端子からのの給電を停止することができるため、消費電力を小さくすることができる。
【００７９】
請求項２記載の発明にあっては、請求項１の効果に加え、複数の増幅回路は、回路構成、回路定数、回路利得が同一にすることにより、複数の増幅回路は、整合回路を追加したりすることなくできるようになる。
【００８０】
請求項３記載の発明にあっては、請求項１の効果に加え、ブースタ装置は、増幅回路毎の利得を違うように設定することにより、増幅回路１１の利得を全て同じにした場合に比べ、利得を細かく設定することができる。
【００８１】
請求項４記載の発明にあっては、請求項１の効果に加え、ブースタ装置の利得は、直列接続の最終段の回路利得を増幅回路切替スイッチが通常出力用の増幅回路又は高出力用の増幅回路のどちらか一方に接続を切り替えるので利得が大きいタイプと通常タイプの２種が類選択できる。
【００８２】
請求項５記載の発明にあっては、請求項４の効果に加え、ブースタ装置は、入力端子からの放送波の入力レベルが予め設定した閾値より高い場合は、増幅回路切替スイッチが最終段の増幅回路の利得を高出力用にし、増幅回路切替スイッチが入力端子の入力レベルが予め設定した閾値より低い場合は、利得を通常出力用に切り替える放送波の大きさに応じて、最終段の増幅回路を自動的に通常出力用の増幅回路又は高出力用の増幅回路のどちらか一方に切り替えることができる。
【００８３】
請求項６記載の発明にあっては、請求項１の効果に加え、可変抵抗により、連続的に利得を変えることができる。
【００８４】
請求項７記載の発明にあっては、請求項１の効果に加え、ブースタ装置は、可変抵抗により、連続的に利得を変えることができる。
【００８５】
請求項８記載の発明にあっては、請求項１の効果に加え、ブースタ装置は、ブースタ装置１は、放送波が入力されていない場合は、切替手段が放送波を増幅する全ての増幅回路への電源供給を停止するので、消費電力を小さくすることができる
請求項９記載の発明にあっては、請求項８の効果に加え、ブースタ装置は、ブースタ給電スイッチの動作と連動して、ＣＳ／ＢＳ用アンテナコンバータへ電源を供給しない時は放送波を増幅する全ての増幅回路への電源供給も停止ことができる。
【００８６】
請求項１０記載の発明にあっては、請求項８の効果に加え、ブースタ装置は、ＣＳ／ＢＳ用アンテナコンバータの消費電流を電流検出部で検出してブースタ給電スイッチのＯＮ／ＯＦＦの制御をおこなうことにより、自動的に放送波を増幅する全ての増幅回路への給電をＯＮ・ＯＦＦすることができる。
【００８７】
請求項１１記載の発明にあっては、請求項８の効果に加え、ブースタ装置は、ＣＳ／ＢＳ用ブースタの入力レベルを検出し、ブースタ入力検出回路が電流を検出した場合の切替手段は、放送波を増幅する増幅回路の給電をＯＮに切り替え、ブースタ入力検出回路はＣＳ／ＢＳ用アンテナのコンバータが電流を検出しない場合の切替手段は、放送波を増幅する増幅回路の給電をＯＦＦに切り替えるので入力レベルの有無により、ブースタの給電をＯＮ／ＯＦＦさせることができる。
【００８８】
請求項１２記載の発明にあっては、請求項８の効果に加え、ブースタ装置は、増幅回路入力レベル検出回路がＣＡＴＶ上り信号を検出した場合の切替手段は、ＣＡＴＶ上り増幅回路の給電をＯＮに切り替る動作をおこない、増幅回路入力レベル検出回路がＣＡＴＶ上り信号を検出しない場合の切替手段は、ＣＡＴＶ上り増幅回路の給電をＯＦＦに切り替る動作をおこなう入力端子に信号の有無によりＣＡＴＶ上り増幅回路を自動でＯＮ／ＯＦＦさせることができる。
【図面の簡単な説明】
【図１】第１の実施形態のブースタ装置のブロック図である。
【図２】第２の実施形態のブースタ装置のブロック図である。
【図３】第３の実施形態のブースタ装置のブロック図である。
【図４】第４の実施形態のブースタ装置の最終段の増幅回路のブロック図である。
【図５】第５の実施形態のブースタ装置の入力端子、ブースタ入力レベル検出部、検出レベル判定部、最終段の増幅回路のブロック図である。
【図６】第６の実施形態のブースタ装置のブロック図である。
【図７】第７の実施形態のブースタ装置のブロック図である。
【図８】第８の実施形態のブースタ装置のブロック図である。
【図９】第９の実施形態のブースタ装置のブロック図である。
【図１０】第１０の実施形態のブースタ装置のブロック図である。
【図１１】第１１の実施形態のブースタ装置のブロック図である。
【図１２】第１２の実施形態のブースタ装置のブロック図である。
【図１３】従来のブースタ装置のブロック図である。
【図１４】別の従来のブースタ装置のブロック図である。
【図１５】特開平８−１６２９８９号公報に記載のブースタ装置のブロック図である。
【符号の説明】
１      ブースタ装置
２      入力端子
３      出力端子
１１    増幅回路
１２    切替手段
１２ｆ  増幅回路切替スイッチ
１３    スルー経路
１５    増幅回路給電スイッチ
１６    ブースタ給電スイッチ
３４    電流検出部
３６    ブースタ入力検出回路
３８    増幅回路入力レベル検出回路
【図１】
2004357128.tif 000003
【図２】
2004357128.tif 000004
【図３】
2004357128.tif 000005
【図４】
2004357128.tif 000006
【図５】
2004357128.tif 000007
【図６】
2004357128.tif 000008
【図７】
2004357128.tif 000009
【図８】
2004357128.tif 000010
【図９】
2004357128.tif 000011
【図１０】
2004357128.tif 000012
【図１１】
2004357128.tif 000013
【図１２】
2004357128.tif 000014
【図１３】
2004357128.tif 000015
【図１４】
2004357128.tif 000016
【図１５】
2004357128.tif 000017